(57)【特許請求の範囲】
【請求項１】
畝を跨いだ状態で走行するトラクターの前部に取付けられ、植生したタバコの幹を回転刃で切断し畝側方の谷部に落とすようにするタバコの残幹処理機であって、機体の前方に設けた２本の縦軸からなり、一方の縦軸側の上方に駆動部を設けるとともに、一方の縦軸には複数枚の回転刃を取付け、他方の縦軸には前記回転刃と対応する位置に円盤状の押え板を取付けたことを特徴とするタバコの残幹処理機。
【発明の詳細な説明】
【０００１】
【発明の属する技術分野】
本発明は、タバコの残幹処理機に関するものである。
【０００２】
【従来の技術】
従来のタバコの残幹処理機は、トラクターの前部中央に取付け、畝を跨いだ状態でトラクターを走行させて、植生した（葉を取り去った）タバコの幹を回転刃で切断し畝側方の谷部に落とすようにしている。
【０００３】
【発明が解決しようとする課題】
しかしながら、上記従来の残幹処理機は、回転刃を駆動するためのエンジンを回転刃の下方に設けているため、エンジンの高さ分だけ畝面より高い位置で残幹を切断することになり、残幹処理が不十分である。また、切断時のごみがエンジンの上に直接落ちることになるため、トラブルの発生の原因ともなる。
本発明は、上記従来の問題を解決するためになされたものであって、その目的とするところは、良好なタバコの残幹処理を行える残幹処理機を提供することにある。
【０００４】
【課題を解決するための手段】
かかる目的を達成するために、本発明のタバコの残幹処理機は、畝を跨いだ状態で走行するトラクターの前部に取付けられ、植生したタバコの幹を回転刃で切断し畝側方の谷部に落とすようにするタバコの残幹処理機であって、機体の前方に設けた２本の縦軸からなり、一方の縦軸側の上方に駆動部を設けるとともに、一方の縦軸には複数枚の回転刃を取付け、他方の縦軸には前記回転刃と対応する位置に円盤状の押え板を取付けたことを特徴としている。
【０００５】
【発明の実施の形態】
以下に、図面を参照して本発明の実施の形態について説明する。
図１は残幹処理機の斜視図、図２はその一部拡大図、図３は残幹処理機をトラクターの前部に取付けた状態の斜視図、図４はトラクターの一例を示す側面図である。
【０００６】
本発明に係るタバコの残幹処理機は、図４に示すようなトラクター１の前部中央に前傾姿勢で取付けられる。そして、畝を跨いだ状態でトラクター１を走行させると、残幹処理機は、植生した（葉を取り去った）タバコの幹（下方が直径５ｃｍ位）を２０〜３０ｃｍ位に回転刃で切断して、畝側方の谷部に落とすようにしている。トラクター１の後部には、３点リンク装置にてロータり耕転装置２を取付け、さらに該ロータリ耕転装置２の後部にツース付均平板３を設けている。残幹処理機によって切断され、畝側方の谷部に落とされたタバコの幹を、トラクター１後部のロータリ耕転装置２で土壌掘削し覆土する。そして、上記均平板３で土壌を均平にする。
【０００７】
ところで、本発明に係る残幹処理機１０は、図１に示すように、２本の縦軸１１、１２からなり、一方の縦軸１１側の上方に駆動用のエンジン１３を設ける。そして、この駆動軸である一方の縦軸１１には複数枚（本実施形態では４枚）の回転刃１４を上から下へ略等間隔で取付け、他方の従動軸である縦軸１２には上記駆動軸側の回転刃１４と対応する位置に案内用の円盤状の押え板１５を複数枚取付けている。ここで、駆動軸側の回転刃１４と従動軸側の押え板１５とは、後でも述べるように、端部同士が一部オーバラップしている。また、この残幹処理機１０は、トラクター１に対して上下方向に取付位置を調整でき、さらにトラクター１に対して２本の縦軸１１、１２の上方を前方に傾けた状態で取付けたときの傾斜角度を調整できるように構成されている。
【０００８】
以上の構成によって、タバコの残幹処理が行われるが、回転刃１４を駆動するためのエンジン１３を回転刃１４を取付けた駆動軸の上方に設けているため、一番下の回転刃１４を出来るだけ低い位置に取付けて残幹を少しでも低い位置で切断することが可能になる。したがって、残幹処理を十分に行える。また、切断時のごみがエンジンには直接当たらないため、長時間の作業を行ってもトラブルの発生がない。なお、回転刃１４の駆動手段としては、上述のエンジン１３で直接駆動する代わりに、本機側の油圧式モータで駆動するようにしてもよい。
【０００９】
上記残幹処理機１０のエンジン１３のスタートスイッチと停止スイッチ（ガソリンエンジンの場合はスロットルと停止スイッチ）をトラクター１の運転席近傍に設け、オペレータが運転席で残幹処理機１０を操作出来るようにすると、緊急時の停止が可能で安全に作業できる。
【００１０】
次に、回転刃１４及び押え板１５の取付構造について説明する。
図５は残幹処理機の模式的な構成図、図６は軸の取付構造図である。
上記回転刃１４及び押え板１５は２本の縦軸１１、１２に各々カラー筒１７〜２０を介して取付けられる。縦軸１１、１２にはキー溝やスプライン溝が設けられている。このような構成において、上端と下端のカラー筒の高さを異ならしめることで回転刃１４等の上下高さ位置や刃の間隔を変更できる。例えば、カラー筒１７と１８との高さの差が回転刃１４と押え板１５との隙間寸法になる。このような取付構造とすれば、回転刃１４と押え板１５の隙間を簡単に同一に調整でき、またカラー筒の高さによって残幹の切断長さを容易に変更できる。
【００１１】
また、２本の縦軸１１、１２の下端は、基板２１下面に突出する軸をベアリングを内装した支持メタル２２で支持し、該支持メタル２２のフランジ部２２ａをボルト２３とナット２４でボルト係止される。したがって、図６（ｂ）に示すように、ボルト２３の頭が下方に突出しないので、土すれが起きず後で簡単に外せ、しかもボルト２３が回転刃１４側に来ないので安全に外すことが出来る。
【００１２】
前述のごとく、本発明の残幹処理機は、２本の縦軸１１、１２のうち、一方の軸１１に取付けた回転刃１４と他方の軸１２に取付けた押え板１５でタバコの残幹を切断するものであり、その際、両者の回転数に差を設け、回転刃１４を取付けた駆動軸側をより高速で回転させることにより切れ味がより向上する。
また、押え板１５の外側に突出する先端が三角形状の掻き込み部（掻き込みガイド）１６を設けることにより、残幹を確実に切断でき、回転刃１４にかかる負荷を小さく出来る。
【００１３】
ところで、上記回転刃１４は上から下まで同径とし、反対側の案内用の押え板１５は上から下に向かって小径とすることで図７に示すように、回転刃１４と押え板１５の端部でのオーバラップ量を上から下に向かって小さくする。このように加工の容易な押え板１５の径を変えることにより、下方での切断負荷を小さくすることができる。
【００１４】
次に、ガイドについて説明する。図１乃至図３に示すように、残幹処理機１０の上方と下方の二段にそれぞれ、縦軸１１、１２の内側から外側前方に広がる左右一対の棒状のガイド２５、２５及び２６、２６を設ける。ただし、上部といっても最上部ではなく、できるだけそれよりも下の方がガイドの長さが短くて済むので好ましい。ここで、上部ガイド２５、２５は長く、下部ガイド２６、２６は短くするように構成する。また、残幹を確実に回転刃に案内するため、ガイドは２本の縦軸１１、１２のそれぞれ内側から、要するにガイド取付の基端部を左右２本の縦軸１１、１２の幅内に位置させる。
【００１５】
このように、上部ガイド２５、２５及び下部ガイド２６、２６を設けることにより、残幹を回転刃１４に案内してこれを確実に切断することが可能になる。そして、上部ガイド２５、２５を長くすることにより、例えば風等の影響で上部が曲がっているような残幹であっても確実に案内することが出来る。また、上部ガイド２５、２５及び下部ガイド２６、２６の先端は回転刃１４より前方に位置しているため、残幹処理機１０前方が何かに当たっても回転刃１４の破損を防止できる。
【００１６】
また、下部ガイド２６、２６は最下端の回転刃のすぐ上の位置に設けることが望ましい。すなわち、そうすることにより、最下部には軸受け以外の部材を配置しなくても済むため、最下端の回転刃を出来るだけ下に設けて残幹をなるべく下から切断することが可能になる。
【００１７】
図８は残幹処理機を上から見た概略構成図である。すなわち、残幹処理機の後方と側方を左右各別の開閉カバー２７、２８で覆い、各カバーの開度を別々に調節できるように構成している。このような構成によって、飛散させたくない側のカバーの開度を調節することができる。
【００１８】
図９は同じく残幹処理機を上から見た概略構成図である。すなわち、残幹処理機の後方と側方を固定カバー２９で覆うとともに、その後方に平面視くの字状の外方案内具（レーキ）３０を設け、その後方に設けた尾輪３１によって上記外方案内具３０は畝面を走るように構成している。残幹処理機で切断されたタバコの幹は、まず畝上に落下して、あとは自重で側方の谷部に落下するが、谷部に落下しなかった残幹であっても外方案内具３０によって確実に谷部に落下する。
【００１９】
【発明の効果】
以上詳細に説明したように、本発明のタバコの残幹処理機は、畝を跨いだ状態で走行するトラクターの前部に取付けられ、植生したタバコの幹を回転刃で切断し畝側方の谷部に落とすようにするタバコの残幹処理機であって、機体の前方に設けた２本の縦軸からなり、一方の縦軸側の上方に駆動部を設けるとともに、一方の縦軸には複数枚の回転刃を取付け、他方の縦軸には前記回転刃と対応する位置に円盤状の押え板を取付けた。これにより、一番下の回転刃を出来るだけ低い位置に取付けて残幹を少しでも低い位置で切断することが可能になり、十分な残幹処理を行うことができる。また、切断時の切り屑等のごみがエンジンに直接当たらないため、長時間の作業を行ってもトラブルの発生がなく、良好な作業を行うことができる。
【図面の簡単な説明】
【図１】残幹処理機の斜視図である。
【図２】その一部拡大図である。
【図３】残幹処理機をトラクターの前部に取付けた状態の斜視図である。
【図４】トラクターの一例を示す側面図である。
【図５】残幹処理機の概略構成図である。
【図６】縦軸の取付構造を説明するための図である。
【図７】残幹処理機の模式図である。
【図８】残幹処理機の概略平面図である。
【図９】同じく残幹処理機の概略平面図である。
【符号の説明】
１  トラクター
１０  残幹処理機
１１、１２  縦軸
１３  エンジン
１４  回転刃
１５  押え板
１６  掻き込み具
１７〜２０  カラー筒
２１  基板
２２  支持メタル
２５  上部ガイド
２６  下部ガイド
２７、２８  開閉カバー
２９  固定カバー
３０  外方案内具
３１  尾輪
【図１】
0003893834.tif 000002
【図２】
0003893834.tif 000003
【図３】
0003893834.tif 000004
【図４】
0003893834.tif 000005
【図５】
0003893834.tif 000006
【図６】
0003893834.tif 000007
【図７】
0003893834.tif 000008
【図８】
0003893834.tif 000009
【図９】
0003893834.tif 000010